(57)【要約】  例示的なスキャナアセンブリは、イメージセンサラインが筋違いに整列することを可能にするためのコーナーを有して形成されたハウジングを含む。例示的なスキャナ装置は、媒体進行方向に斜めのイメージセンサラインを備える複数のスキャナアセンブリを含むことができる。【選択図】図２
2021503864.tif 000002
【特許請求の範囲】
【請求項１】
実質的に長方形であるハウジングであって、そのハウジングは、
第１の延長空洞を備える第１のコーナー
前記第１の延長空洞に実質的にはす向かいの位置関係になっている第２の延長空洞を備える第２のコーナー、及び
イメージセンサに対応するフレームを画定する面を含む、ハウジングと、
前記第１の延長空洞から前記第２の延長空洞まで斜めに方向付けられたイメージセンサラインとを含む、スキャナアセンブリ。
【請求項２】
前記イメージセンサラインは、前記スキャナアセンブリの走査可能な長さを形成するために実質的に線状配列で配向された複数のイメージセンサであり、
前記イメージセンサラインは、前記第１の延長空洞内から前記第２の延長空洞内まで延びる、請求項１に記載のスキャナアセンブリ。
【請求項３】
前記ハウジングは、Ｚ字形状であり且つ封止されており、
前記フレームは、前記イメージセンサがセンサ読取り値を取得するために面しているウィンドウの縁である、請求項１に記載のスキャナアセンブリ。
【請求項４】
前記第１の延長空洞から離れる方へ向かう第１の噛み合い面を有する第１の脚部であって、前記第１の延長空洞が前記第１の脚部内に画定されている、第１の脚部と、
前記第２の延長空洞から離れる方へ向かう第２の噛み合い面を有する第２の脚部とを更に含み、
前記第２の延長空洞が前記第２の脚部内に画定されており、前記第１の噛み合い面および前記第２の噛み合い面が相補的である、請求項１に記載のスキャナアセンブリ。
【請求項５】
前記ハウジング内の照明デバイスを更に含み、
前記照明デバイスは前記イメージセンサラインに実質的に平行に整列されており、
前記イメージセンサラインは、密着型センサのアレイの幅に沿って延びる密着型センサの光受容体のアレイにわたる平均的な交線である、請求項１に記載のスキャナアセンブリ。
【請求項６】
スキャナアセンブリであって、そのスキャナアセンブリは、
イメージセンサラインに沿って配置されたイメージセンサを含む電子回路用の封止されたハウジング、及び
イメージセンサが走査位置に向けて配向されるように面する、前記封止されたハウジングの面上のウィンドウを含み、前記イメージセンサラインは、前記ウィンドウが位置する平面に実質的に平行に及び前記ウィンドウの前記平面に沿って前記封止されたハウジングの本体の中央軸に対して斜角で配向されている、スキャナアセンブリと、
前記ウィンドウに向けて媒体を案内するための媒体ガイドとを含む、スキャナ装置。
【請求項７】
前記ウィンドウがガラスを含み、
前記イメージセンサラインが前記ウィンドウを横切って斜めに延びる、請求項６に記載のスキャナ装置。
【請求項８】
前記ウィンドウが位置する前記封止されたハウジングの前記面は、別の封止されたハウジングのハウジング形状と一致するように形成された凹みを備えた実質的に長方形であり、
前記イメージセンサラインは、前記ハウジングの媒体進行方向を横切って延び、形成されたへこみの壁を通って前記ハウジングの脚部空洞へ入る、請求項７に記載のスキャナ装置。
【請求項９】
前記イメージセンサラインは、媒体進行方向に対して斜角をなしている、請求項６に記載のスキャナ装置。
【請求項１０】
プロセッサ資源と、
命令が格納されているメモリ資源とを更に含み、前記命令は、前記プロセッサ資源により実行された際に前記プロセッサ資源に以下のこと、即ち
前記イメージセンサラインの前記斜角に対応する回転をデスキューするためにシフト処理動作を行い、
前記斜角に基づいて、走査された画像の解像度を増大させることを行わせる、請求項９に記載のスキャナ装置。
【請求項１１】
スキャナ装置であって、
媒体経路の走査区域にわたって位置する複数のスキャナアセンブリを含み、前記複数のスキャナアセンブリのうちの第１のスキャナアセンブリは、
媒体進行方向に実質的に平行である前記第１のスキャナアセンブリの第１のハウジング側に対して、及び前記媒体進行方向に実質的に垂直である前記第１のスキャナアセンブリの第２のハウジング側に対して前記複数のスキャナアセンブリのうちの第２のスキャナアセンブリと部分的に重なる第１の重なり部分と、
前記媒体進行方向に対して斜角で配向されたイメージセンサラインに沿って前記第１の重なり部分内へ延びる第１のイメージセンサとを含む、スキャナ装置。
【請求項１２】
前記複数のスキャナアセンブリは、前記媒体進行方向における媒体経路の幅にわたって千鳥に配置され、且つ前記媒体進行方向に対して千鳥に配置され、
前記第１のイメージセンサの前記イメージセンサラインは、前記媒体経路を横切る前記ハウジングの向きに対して斜角で配向されている、請求項１１に記載のスキャナ装置。
【請求項１３】
前記複数のスキャナアセンブリのうちの前記第１のスキャナアセンブリは、前記複数のスキャナアセンブリの第３のスキャナアセンブリと部分的に重なる第２の重なり部分を有し、前記第１の重なり部分が前記第２の重なり部分に対して筋違いに位置し、
前記第１のスキャナアセンブリ及び前記第２のスキャナアセンブリが蟻継ぎで適合し、
前記第１のスキャナアセンブリ及び前記第３のスキャナアセンブリが蟻継ぎで適合し、
前記第１のスキャナアセンブリのイメージセンサラインは、前記第１のスキャナアセンブリのハウジングの前記第１の重なり部分から前記第１のスキャナアセンブリのハウジングの前記第２の重なり部分まで延びる、請求項１２に記載のスキャナ装置。
【請求項１４】
前記第１のスキャナアセンブリの前記第１のハウジング側は、前記媒体進行方向に対して前記第２のスキャナアセンブリにより、前記第１のハウジング側の幅の半分よりも多い量だけ部分的に重なる、請求項１１に記載のスキャナ装置。
【請求項１５】
前記第１の重なり部分における前記第１のスキャナアセンブリと前記第２のスキャナアセンブリとの間のオフセット距離は、前記イメージセンサラインに対して傾斜した媒体進行方向に関して、前記イメージセンサラインの第１の端部と前記イメージセンサラインの第２の端部との間の距離より少ない、請求項１１に記載のスキャナ装置。
【発明の詳細な説明】
【背景技術】
【０００１】
画像（イメージ）は、スキャナ装置または印刷装置のような、コンピューティングマシンと共に使用するために処理される。例えば、スキャナ装置は、原画像を走査して、原画像に対応する画像データのデジタル表現のようなコピーを生成することができる。例えば、印刷装置は、処理された画像データに基づいた制御データを用いて、制御データに従って印刷流体吐出システムを動作させることにより画像の物理的表現を再現することができる。
【図面の簡単な説明】
【０００２】
【図１】例示的なスキャナアセンブリを示すブロック図である。
【図２】例示的なスキャナアセンブリを示すブロック図である。
【図３】例示的なスキャナ装置の側面図である。
【図４】例示的なスキャナ装置の斜視図である。
【図５Ａ】例示的なスキャナ装置を示す図である。
【図５Ｂ】例示的なスキャナ装置を示す図である。
【図６Ａ】例示的なスキャナアセンブリと共に使用可能な互いに噛み合う面の例である。
【図６Ｂ】例示的なスキャナアセンブリと共に使用可能な互いに噛み合う面の例である。
【図６Ｃ】例示的なスキャナアセンブリと共に使用可能な互いに噛み合う面の例である。
【図６Ｄ】例示的なスキャナアセンブリと共に使用可能な互いに噛み合う面の例である。
【図６Ｅ】例示的なスキャナアセンブリと共に使用可能な互いに噛み合う面の例である。
【図６Ｆ】例示的なスキャナアセンブリと共に使用可能な互いに噛み合う面の例である。
【図６Ｇ】例示的なスキャナアセンブリと共に使用可能な互いに噛み合う面の例である。
【図６Ｈ】例示的なスキャナアセンブリと共に使用可能な互いに噛み合う面の例である。
【図７】例示的なスキャナシステムを示すブロック図である。
【発明を実施するための形態】
【０００３】
詳細な説明
以下の説明および図面において、スキャナ装置、スキャナシステム、スキャナアセンブリ、及び／又は走査の方法の幾つかの例示的な具現化形態が説明される。本明細書で説明される例において、「スキャナアセンブリ」は、走査を行うために使用されるスキャナモジュールを意味する（即ち、画像データのセンサを使用した取り込み）。スキャナアセンブリは、走査動作を行うための電子回路、及び当該電子回路を収容するためのハウジングを含む。「スキャナシステム」は、ターゲット原画像の走査動作を行うための回路または回路と実行可能命令の組み合わせを意味する。「スキャナ装置」は、走査動作を行うためにスキャナアセンブリを動作させるための走査システムを含む装置であることができる。例えば、スキャナ装置は、コントローラにより動作される複数のスキャナアセンブリ、及び複数のスキャナアセンブリのイメージセンサラインへ向けて媒体を案内するための媒体搬送コンポーネントを含むことができる。
【０００４】
本明細書で使用される限り、「印刷装置」は、物理的媒体（例えば、用紙、織物、粉末ベースの構築材料の層など）上に印刷材料（例えば、インク又はトナー）を用いてコンテンツを印刷するための装置であることができる。例えば、印刷装置は、Ａ２以上のサイズである印刷媒体のような印刷媒体上にラテックスベースの印刷流体を印刷する大判印刷装置であることができる。幾つかの例において、印刷される物理的媒体は、ウェブロール紙またはカット済みシートであることができる。粉末ベースの構築材料の層上に印刷する場合、印刷装置は、層毎の積層造形プロセスにおいて印刷材料の堆積を利用することができる。印刷装置は、インク、トナー、流体または粉末のような適切な印刷消耗品、又は他の印刷用原材料を利用することができる。幾つかの例において、印刷装置は、三次元（３Ｄ）印刷装置であることができる。流体印刷材料の一例は、圧電プリントヘッド又はサーマルインクジェットプリントヘッドのようなプリントヘッドから吐出可能な水性ラテックスインクである。印刷流体の他の例は、染料系カラーインク、顔料系インク、溶剤、光沢増強剤、定着剤、及び同類のものを含むことができる。
【０００５】
多機能周辺装置（multifunction peripheral device：ＭＦＤ）は、ターゲット原画像を走査して同じ装置でターゲット原画像のコピーを印刷するための能力を提供するためにスキャナ装置と組み合わされた印刷装置であることができる。Ａ２以上のシートのような、より大きな媒体をサポートすることができるＭＦＰは、媒体の全幅にわたって延在するスキャナ装置を含むことができる、又は媒体の幅にわたって延在するスキャナアセンブリのアレイのような複数のスキャナアセンブリを使用することができる。係るアセンブリは、各スキャナアセンブリにおける電子回路から識別された画像のステッチングを可能にするために、千鳥に配置されて各端部で部分的に重なることができる。部分的に重なるセクションは、時として欠陥のように見える場合がある。その理由は、画像を再位置決めするためのオフセットが、例えばスキャナ装置の媒体経路上での搬送中の用紙の移動に起因して常に一定でないからである。
【０００６】
後述される様々な例は、スキャナアセンブリのハウジング及び／又は媒体の進行方向（以降、媒体進行方向と称す）に対して斜めに方向付けられた（配向された）イメージセンサラインを有するイメージセンサを備えるスキャナアセンブリに関係する。例えば、電子回路およびハウジングの構成を調整することにより、オフセット距離は低減され得る。
【０００７】
図１及び図２は、例示的なスキャナアセンブリ１００を示すブロック図である。図１を参照すると、スキャナアセンブリ１００は、面１０８を備え、第１の脚部１０３及び第２の脚部１０５を有するハウジング１０２を含む。面１０８は、イメージセンサのウィンドウに対応するフレーム１０９を画定することができる。例えば、フレーム１０９は、イメージセンサを保護するためのガラス板の縁（境界）であることができ、ガラスのウィンドウにより、イメージセンサが、ウィンドウを介して読取り値を取得する（読み取りを行う）ためにウィンドウへ向けて方向付けられることが可能になる。ハウジング１０２は、イメージセンサ、コントローラ（即ち、プロセッサ資源および制御プログラムが格納された状態のメモリ資源）、及び／又は他の回路のような電子回路を収容するための雰囲気を制御するために気密封止され得る。イメージセンサは、光波に対応するデータを生成することができる任意のセンサであることができる。例示的なイメージセンサ技術は、密着型センサ（contact image sensor：ＣＩＳ）、電荷結合デバイス（charge coupleddevice：ＣＣＤ）又は関連したイメージセンサ技術を含む。
【０００８】
図１のスキャナアセンブリ１００は、実質的に長方形として示され、この場合、長方形の短辺は、実質的に互いにはす向かいの位置関係になっている延長空洞を含むコーナー（すみ）を有する。図１の例において、第１のコーナーは延長空洞１０４を有する脚部１０３に存在し、第２のコーナーは延長空洞１０６を含む脚部１０５においてハウジングの反対側に存在する。イメージセンサは、第１の延長空洞１０４から第２の延長空洞１０６までのイメージセンサライン１１０に沿って整列されることになる。このように、ハウジング１０２は、実質的にＺ字型であることができ、この場合、両側に延在する脚部は、壁１１３、１１５、１１７及び１１９により画定されるような、コーナーに隣接する相補的な凹みを有する。イメージセンサライン（例えば、センサ読み取りのセンサ能力に対応するイメージセンサの距離にわたる軸）は、空洞１０４及び１０６に及ぶことができる。例えば、イメージセンサライン１１０は、イメージセンサの能力が、ウィンドウを横切って進められるべき媒体に面する面１０８に対して、壁１１３及び１１７を通り越して壁１１１及び１１８の方へ延びるように延在する。他の例において、スキャナアセンブリのハウジングは、筋違いに方向付けられるべき（例えば、一方のコーナーから他方のコーナーへ対角線上に）、又は予想される媒体進行方向に対して斜めのイメージセンサラインと位置合わせされる他の形状を含むことができる。
【０００９】
図２を参照すると、例示的なスキャナアセンブリ１００のハウジング１２０は、複数のイメージセンサ１１２を含む。複数のイメージセンサは、スキャナアセンブリ１００の走査可能な領域を形成するために整列される。図２の例において、複数のイメージセンサは、走査可能な領域の走査可能な長さに沿ってイメージセンサラインを形成するために実質的に線状配列で配向（配置）される。イメージセンサラインは、密着型センサのアレイの幅に沿って延びる密着型センサの光受容体のアレイにわたる平均的な交線（intersection：交差部分）であることができる。イメージセンサライン１１０は、ライン１２０によって表されるような、ハウジングの向きに対して斜めである角度アルファ（α）をなしている。また、ライン１２０は、媒体進行方向に対して実質的に垂直な、媒体経路の幅も表すことができる。角度アルファは、ライン１２０に対して１°より大きくて９０°未満であることができる。幾つかの例において、角度アルファは、媒体進行方向に移動する媒体の幅に対して１°〜１５°までの間である。他の例において、角度アルファは、２°〜１０°までの間である。更に他の例において、角度アルファは、５°〜８°までの間である。一例において、センサラインの端部は、媒体進行方向に垂直に約２９０ｍｍの距離に対して約１５ｍｍだけ媒体進行方向にオフセットすることができる。図２に示されるように、複数のイメージセンサ１１２の走査可能な長さは、イメージセンサラインに沿って第１の延長空洞１０４内から第２の延長空洞１０６まで延びる。言い換えれば、イメージセンサラインの各端部のイメージセンサは、ハウジング１０２の脚部の空洞１０４及び１０６内に少なくとも部分的に収容される。
【００１０】
照明デバイス１２２は、イメージセンサ１１２と共にハウジング１０２内に収容された電子回路の一部であることができる。照明デバイス１２２は、例えばイメージセンサ１１２により走査される間に媒体を適切に照明するために、イメージセンサラインに実質的に平行に整列されるように配向され得る。図２の例において、各イメージセンサ１１２は、照明デバイス１２２により付随される。他の例において、単一の照明デバイスが複数のイメージセンサと共に使用され得るか、又は複数の照明デバイスが単一のイメージセンサと共に使用され得る。
【００１１】
図３及び図４は、例示的なスキャナ装置１０１を示す。図３は、例示的なスキャナ装置１０１の側面図を示す。スキャナ装置１０１は、例示的なスキャナアセンブリ１００及び媒体ガイド１３２を含む。図１及び図２に関連して説明されたように、スキャナアセンブリ１００は、イメージセンサラインに沿って配置されたイメージセンサ１１２を含む電子回路用の封止されたハウジング、封止されたハウジングの面上のウィンドウを含むことができ、当該ウィンドウを介して、イメージセンサ１１２は走査場所（例えば、媒体ガイド１３２の上）に向けて及びウィンドウの平面に沿って、封止されたハウジングの本体の中央軸に対して斜角で方向付けられる（配向される）ように面している。図３に関連して、イメージセンサ１１２は、媒体経路に対して（例えば、媒体進行方向に移動する媒体を横切ってセンサ読み取りを行うことができる）及びハウジングに対して実質的に平行にハウジング内に配置されることができ、イメージセンサラインは、ウィンドウが位置する平面に実質的に平行であることができる。
【００１２】
図４に関して、スキャナ装置１０１は、媒体進行方向に対して斜めの向き（例えば、媒体が媒体進行方向において進む際の媒体の幅に対する斜角）でイメージセンサ１１２を備える複数のスキャナアセンブリ１００を含むことができる。
【００１３】
媒体ガイド１３２は、媒体搬送コンポーネント１３２とスキャナアセンブリ１００との間の媒体経路に沿って媒体進行方向１３１において媒体１３０を案内することができる。媒体ガイド１３２は、任意の適切な媒体搬送コンポーネントであることができる。例示的な媒体ガイド１３２は、従動ローラ、フリーローラ、長方形傾斜台、直方体要素、較正ユニットなど、又はそれらの任意の組み合わせを含むことができる。媒体ガイドは、媒体進行方向において媒体の動きを支援するための機構を含むことができ、及び／又はスキャナアセンブリへ向けて媒体に力を印加するための機構を含むことができる。例えば、媒体ガイドは、媒体経路に垂直でイメージセンサラインに向かう偏倚力を提供する（例えば、スキャナアセンブリのガラスウィンドウに対抗して媒体を移動させるための力を印加する）片寄った直方体（biased cuboid）であることができる。図４に示されるように、イメージセンサ１１２は、スキャナアセンブリ１００のハウジングにわたって斜めに延在するように配置され得る（例えば、イメージセンサラインは、スキャナアセンブリ１００のそれぞれのウィンドウを横切って斜め（対角線上）に延在する）。
【００１４】
図４は、媒体経路の走査区域を横切って位置する複数のスキャナアセンブリ１００を備える例示的なスキャナ装置１０１の斜視図を示す。スキャナアセンブリ１００は、形状において実質的に直方体のように見え、この場合、ウィンドウが位置する封止されたハウジングの面は、別の封止されたハウジングのハウジング形状と一致するように形成された凹みを備える実質的に長方形である。スキャナアセンブリ１００のそれぞれは、別のスキャナアセンブリ１００と重なる部分を含む。中間のスキャナアセンブリは、例えば、媒体進行方向に実質的に平行である中間のスキャナアセンブリの第１のハウジング側に対して及び媒体進行方向に実質的に垂直である第１のスキャナアセンブリの第２のハウジング側に対して複数のスキャナアセンブリのうちの別のスキャナアセンブリと部分的に重なる、左側の第１の重なり部分１４１を含み、更に別のスキャナアセンブリと部分的に重なる、右側の類似した重なり部分１４３を備える。重なり部分は、ハウジング構造体との相補的な接合部分（即ち、蟻継ぎ）を生じることができる。重なり部分の相補的な構造体の例は、図６Ａ〜図６Ｈに関連して更に説明される。
【００１５】
図４に示されるように、中間のスキャナアセンブリのイメージセンサは、第１の重なり部分１４１内へ及び媒体進行方向１３１に対して斜角でイメージセンサラインに沿って一直線で延びる。また、中間のスキャナアセンブリのイメージセンサのイメージセンサラインは、媒体経路を横切るハウジングの向きに対して斜角で方向付けられ得る。
【００１６】
上述したように、イメージセンサラインは、媒体進行方向１３１に対して斜角をなしている。センサラインは、ハウジングの媒体進行方向を横切って延び、形成されたへこみの壁を通ってハウジングの脚部空洞へ入ることができる。これは、センサラインがへこみの壁を通って空洞へ入るように延びる各アセンブリ１００において生じ、その結果、イメージセンサ１１２は、部分的に重なり、媒体が媒体進行方向１３１において移動する際に媒体１３０の一部の重複した読取り値を生成する。このように、第１のスキャナアセンブリ１００のイメージセンサラインは、第１のスキャナアセンブリのハウジングの第１の重なり部分１４１から第１のスキャナアセンブリのハウジングの第２の重なり部分１４３まで延びる。重なり部分１４１及び１４３の重なりの量は、所望の具現化形態に基づくことができる。例えば、第１のスキャナアセンブリの第１のハウジング側は、媒体進行方向１３１に対して、第２のスキャナアセンブリによって第１のハウジング側の幅の半分よりも多い量だけ部分的に重ねられ得る。その例において、重なりの量は、スキャナアセンブリを覆うガラスの幅を最小限に抑えることを可能にすることができる。また、重なり部分は、スキャナアセンブリ間のオフセット距離の量を変更することもできる。例えば、第１の重なり部分における第１のスキャナアセンブリと第２のスキャナアセンブリとの間のオフセット距離は、イメージセンサラインに対して傾斜した媒体進行方向に関してイメージセンサラインの第１の端部とイメージセンサラインの第２の端部との間の距離より少なくすることができる。このように、媒体進行方向における比較的より小さいオフセットが、スキャナアセンブリ間で達成されることができ、それにより走査品質も改善され得る。幾つかの例において、スキャナアセンブリ間のオフセットが存在しない場合がある。
【００１７】
図５Ａ及び図５Ｂは、例示的なスキャナ装置１０１を示す。スキャナ装置１０１は、媒体経路を横切るアレイの状態の複数のスキャナアセンブリ１００を有することができる。複数のスキャナアセンブリ１００は、媒体進行方向における媒体経路の幅を横切って千鳥に配置され得る。複数の媒体ガイドは、図５Ａに示されるように、隣接したスキャナアセンブリ及び媒体進行方向に対してオフセット区域と共に媒体進行方向に対して千鳥に配置され得る。他の例において、複数のスキャナアセンブリ１００は、スキャナアセンブリが図５Ｂに示されるように互いと一直線に配置される（例えば、媒体進行方向において又は媒体進行方向に垂直な方向において当該アセンブリ間にオフセットがない）ことを可能にするハウジング接合部分を含むことができる。
【００１８】
図６Ａ〜図６Ｈは、例示的なスキャナアセンブリと共に使用可能な互いに噛み合う面の例である。スキャナアセンブリは、当該アセンブリが互いと係合し、当該アセンブリと交わるように重なり部分を形成することを可能にするための相補的な構造を含むように示される。幾つかの例において、ハウジング構造体の面は、互いに噛み合うために又は相補的な態様で互いに当接するために相補的である。図６Ａを参照すると、スキャナアセンブリは、第１の脚部１０３内に画定された第１の延長空洞１０４から離れる方へ向かう第１の噛み合い面（例えば、１１５）を有する第１の脚部１０３、及び第２の脚部１０５内に画定された第２の延長空洞１０６から離れる方へ向かう第２の噛み合い面（例えば、１１９）を有する第２の脚部１０５を含む。図６Ａのスキャナアセンブリの面は、互いに垂直であり、及び／又は長方形ハウジングの面に平行である。図６Ｂの例において、相補的な面１１５及び１１９は、ハウジングの長さに対して、及び／又は面１１１、１１３、１１８及び／又は１１９に対して斜角をなす。スキャナアセンブリの重なり領域において傾斜した面を有することは、イメージセンサが斜めになることを可能にし、当該アセンブリがイメージセンサラインの角度にさらに近づいて当接することを可能にすることができる。例えば、面１１５及び１１９は、当該アセンブリのイメージセンサラインに平行であることができる。幾つかの例において、傾斜した構造は、延長空洞を三角形にする或いは延長空洞において鋭角または鈍角を有するハウジングの前縁および後縁（例えば、ハウジングの長さに沿って）まで延びることができるが、他の例において、直角のコーナーが存在してもよい。
【００１９】
図６Ｃを参照すると、脚部１０３及び１０５の周りのスキャナアセンブリの面は、蟻継ぎで適合することができ、複雑であるが依然として相補的な構造を含むことができる。図６Ｄ〜図６Ｇを参照すると、噛み合い面の蟻継ぎの特徴要素が単一の面に存在することができる又は複数の面に存在することができる。
【００２０】
図６Ｈを参照すると、噛み合い面は、製造業者が重なり及び含めるためのオフセットの量を決定することを可能にするために、階段形成で設計され得る。例えば、段構造は、イメージセンサライン間の距離を増加させながら、脚部１０３及び１０５内の部分的に重なるイメージセンサの増加を可能にすることができる。対照的に、スキャナアセンブリ間のオフセット距離が低減され得ると同時に、脚部１０３及び１０５のイメージセンサ間の重なりの量も低減される。
【００２１】
図７は、例示的なスキャナシステム２００を示すブロック図である。図７は、例示的なシステム２００を示し、当該システム２００は、プロセッサ資源２２２に関連して動作するように結合されたメモリ資源２２０、及びプロセッサ資源２２２に関連して動作するように結合されたスキャナアセンブリ２１０を含むことができる。図７を参照すると、メモリ資源２２０は、プロセッサ資源２２２により実行可能である一組の命令を含むことができる。一組の命令は、一組の命令がプロセッサ資源２２２により実行された際にプロセッサ資源２２２がシステム２００の動作を行うように動作可能である。メモリ資源２２０に格納された一組の命令は、シフトプロセッサルーティンモジュール２０２として表され得る。シフトプロセッサルーティンモジュール２０２は、実行された際にスキャナアセンブリ２１０のイメージセンサにより読み出された画像データにシフト処理ルーティンを行うように機能するプログラム命令を表す。プロセッサ資源２２２は、モジュール２０２、及び／又はシステム２００間および／またはシステム２００と関連する任意の他の適切な動作を実行するために一組の命令を実行することができる。例えば、プロセッサ資源２２２は、プロセッサ資源２２２がイメージセンサラインの斜角に対応する回転をデスキューするためにシフト処理動作を行う（例えば、媒体進行方向に対するイメージセンサラインの角度に対応する画像データの反時計回りの回転を行う）ために一組の命令を実行することができる。もう一つ例を挙げると、プロセッサ資源２２２は、プロセッサ資源２２２が複数のスキャナアセンブリのイメージング電子回路（例えば、イメージセンサ）により記録された画像データの位置合わせを行い、スキャナ装置の複数のスキャナアセンブリの各スキャナアセンブリのイメージセンサからの読取り値を組み合わせるためのステッチ動作を行うための一組の命令を実行することができる。更にもう一つ例を挙げると、プロセッサ資源２２２は、プロセッサ資源２２２が斜角に基づいて走査の解像度を増加させるための一組の命令を実行することができる。
【００２２】
例として、媒体の進行に対して或る角度をなしてイメージセンサを配置して当該角度を補償するためにシフト処理ルーティンを用いることにより、搬送中に媒体の動的な動きにより引き起こされる可能性があるオフセットの変動に起因する欠陥は、低減されることができ、オフセットの長さの画像を格納する（例えば、位置合わせ及びステッチングが行われる前）ために使用されるメモリ資源の量も低減され得る。エイリアシングのような他の有害な視覚的効果は、イメージセンサラインの結果が媒体進行方向に対して斜角をなしている場合、センサ自体よりも高くなっているスキャナ装置の解像度に起因して、印刷装置に対する解像度を変更することにより回避され得る。例えば、スキャナアセンブリのイメージセンサは、６００ピクセルの解像度を有することができるが、或る角度で配置された場合、媒体進行方向に対する垂線に対して当該角度に比例して媒体進行方向に対してより短い垂直距離（即ち、６００ピクセルより短い媒体幅の部分）にわたってその６００ピクセルの解像度を得ることができる。このように、解像度は、媒体幅に対する角度（例えば、図２に示されたような角度アルファ）の傾斜度に比例して増加し、エイリアシング効果の低減は、例えば当該角度に比例して可能である。
【００２３】
この特定のモジュールが図７及び他の例示的な具現化形態に関連して図示および説明されたが、モジュールの他の組み合わせ又は副組み合わせは、他の具現化形態内に含まれ得る。言い換えれば、図７に示された及び他の例示的な具現化形態で説明されたモジュールは、本明細書で説明された例において特定の機能を実行するが、これら及び他の機能は、異なるモジュールにおいて又はモジュールの組み合わせにおいて達成され得る、実施され得る又は実現され得る。例えば、これら例に関連して説明されたような１つのモジュールで実行される機能は、異なるモジュールで又は複数のモジュール間で実行され得る。
【００２４】
プロセッサ資源は、メモリ資源から命令を取り出しそれら命令を実行することができる１つ又は複数の処理要素のような、命令を処理（例えば、コンピューティング）することができる任意の適切な回路である。例えば、プロセッサ資源２２２は、モジュール２０２をフェッチし、復号し及び実行することによりイメージセンサラインの角度に基づいたシフト処理を可能にする中央処理装置（ＣＰＵ）であることができる。例示的なプロセッサ資源は、少なくとも１つのＣＰＵ、半導体ベースのマイクロプロセッサ、プログラム可能論理回路（ＰＬＤ）、及び同類のものを含む。例示的なＰＬＤは、特定用途向け集積回路（ＡＳＩＣ）、フィールドプログラマブルゲートアレイ（ＦＰＧＡ）、プログラマブルアレイロジック（ＰＡＬ）、結合プログラム可能論理回路（ＣＰＬＤ）、及び消去可能プログラム可能論理回路（ＥＰＬＤ）を含む。プロセッサ資源は、単一のデバイスに集積された又はデバイスにわたって分散された複数の処理要素を含むことができる。プロセッサ資源は、命令を逐次に、並行して又は部分的に並行して処理することができる。
【００２５】
メモリ資源は、システム２００により利用される及び／又は生成されるデータを格納するための媒体を表す。媒体は、システム２００のモジュール及び／又はシステム２００により使用されるデータのような、データを電子的に格納することができる任意の持続性媒体または持続性媒体の組み合わせである。例えば、媒体は、信号のような一時的な伝送媒体と異なる記憶媒体であることができる。媒体は、コンピュータ可読のような機械可読であることができる。媒体は、実行可能命令を収容（即ち、格納）することができる電子的、磁気的、光学的、又は他の物理的記憶デバイスであることができる。メモリ資源は、プロセッサ資源により実行された際にプロセッサ資源が図７のシステム２００の機能を実施するプログラム命令を格納すると考えられ得る。メモリ資源は、プロセッサ資源と同じデバイスに集積されることができるか、又は別個であるが、そのデバイス及びプロセッサ資源にアクセス可能であることができる。メモリ資源は、デバイスにわたって分散され得る。
【００２６】
本明細書の説明において、システム２００の構成要素（コンポーネント）は、回路、又は回路と実行可能命令の組み合わせとして説明された。係る構成要素は、多数の様式で実現され得る。図７に注目すると、実行可能命令は、有形の持続性コンピュータ可読記憶媒体であるメモリ資源２２０に格納されたプログラム命令のような、プロセッサ実行可能命令であることができ、回路は、それら命令を実行するためのプロセッサ資源２２２のような電子回路であることができる。メモリ資源に常駐する当該命令は、プロセッサ資源により直接的（マシンコードのような）又は間接的（スクリプトのような）に実行されるべき任意の命令セットを含むことができる。
【００２７】
幾つかの例において、システム２００は、システム２００の動作を実行するために、インストールされた際にプロセッサ資源により実行され得るインストールパッケージの一部であることができる実行可能命令を含むことができる。その例において、メモリ資源は、コンパクトディスク、デジタルビデオディスク、フラッシュドライブのような携帯媒体、又はインストールパッケージがダウンロードされてインストールされ得るウェブサーバのようなコンピュータデバイスにより維持されたメモリであることができる。別の例において、実行可能命令は、アプリケーション又は既にインストールされたアプリケーションの一部であることができる。メモリ資源は、読み出し専用メモリ（ＲＯＭ）のような不揮発性メモリ資源、ランダムアクセスメモリ（ＲＡＭ）のような揮発性メモリ資源、記憶デバイス、又はそれらの組み合わせであることができる。メモリ資源の例示的な形態は、スタティックＲＡＭ（ＳＲＡＭ）、ダイナミックＲＡＭ（ＤＲＡＭ）、電気的消去可能プログラマブルＲＯＭ（ＥＥＰＲＯＭ）、フラッシュメモリ、又は同種のものを含む。メモリ資源は、ハードドライブ（ＨＤ）のような集積メモリ、半導体ドライブ（ＳＳＤ）又は光学式ドライブを含むことができる。
【００２８】
本明細書（特許請求の範囲、要約および図面のあらゆるものを含む）に開示された特徴の全て、及び／又はそのように開示された方法またはプロセスのあらゆるものの要素の全ては、係る特徴および／または要素の少なくとも幾つかが相互に排他的である組み合わせを除いて、何らかの組み合わせで組み合わされ得る。
【００２９】
本明細書で使用されるような、用語「含む」、「有する」及びその変化形は、用語「からなる」又はその適切な変化形と同じであることを意味する。更に、本明細書で使用されるような用語「基づいて」は、「少なくとも部分的に基づく」ことを意味する。かくして、幾つかの刺激に基づいてのように記載された特徴は、刺激に又は刺激を含む刺激の組み合わせにのみ基づくことができる。更に、特許請求の範囲における単語「第１の」、「第２の」又は関連した用語の使用は、請求項に記載された要素を順序または位置に制限するために使用されておらず、単に請求項に記載された別個の要素を区別するために使用されている。
【００３０】
本説明は、前述の例に関連して図示および説明された。しかしながら、理解されるべきは、他の形態、細部および例が、本思想および特許請求の範囲の範囲から逸脱せずに行われ得る。
【図１】
2021503864.tif 000003
【図２】
2021503864.tif 000004
【図３】
2021503864.tif 000005
【図４】
2021503864.tif 000006
【図５Ａ】
2021503864.tif 000007
【図５Ｂ】
2021503864.tif 000008
【図６Ａ】
2021503864.tif 000009
【図６Ｂ】
2021503864.tif 000010
【図６Ｃ】
2021503864.tif 000011
【図６Ｄ】
2021503864.tif 000012
【図６Ｅ】
2021503864.tif 000013
【図６Ｆ】
2021503864.tif 000014
【図６Ｇ】
2021503864.tif 000015
【図６Ｈ】
2021503864.tif 000016
【図７】
2021503864.tif 000017
【国際調査報告】
2021503864.tif 000018